(57)【要約】【課題】複数方向へ光を反射（拡散）できるようにすると共に、反射された光により、鳥類が送電線に接近することを広範囲にわたって防止できるようにする。【解決手段】光を反射するミラー付きのボール３ａ〜３ｃを備え、送電線を把持した把持金具１に吊り下げられた芯棒２に、当該ボール３ａ〜３ｃが回転自在に取り付けられる。この例で、ボール３ａの一部は桃色の蛍光塗料で着色され、ボール３ｂの一部は黄色の蛍光塗料で着色され、ボール３ｃの一部は橙色の蛍光塗料で着色されている。【選択図】  図１
2008271676.tif 000002
【特許請求の範囲】
【請求項１】
鳥類が架空電線に衝突することを防止する鳥衝突防止具であって、
前記架空電線を把持する把持部と、
前記把持部の所定位置に吊り下げられた吊下部材と、
前記吊下部材の所定位置に取り付けられ、光を反射する所定数の多面体と、
前記多面体が前記吊下部材から抜け落ちるのを止める抜止部材とを備え、
前記多面体は、
前記吊下部材に回転自在に取り付けられることを特徴とする鳥衝突防止具。
【請求項２】
前記多面体には、
ミラー付きボールが使用されることを特徴とする請求項１に記載の鳥衝突防止具。
【請求項３】
前記把持部及び前記多面体は、
蛍光塗料で着色されることを特徴とする請求項１に記載の鳥衝突防止具。
【請求項４】
鳥類が架空電線に衝突することを防止する鳥衝突防止具であって、
前記架空電線を把持する把持部と、
前記把持部の所定位置に吊り下げられた吊下部材と、
前記吊下部材の所定位置に取り付けられ、光を反射する所定数の多羽状部材と、
前記多羽状部材が前記吊下部材から抜け落ちるのを止める抜止部材とを備え、
前記多羽状部材は、
前記吊下部材に回転自在に取り付けられることを特徴とする鳥衝突防止具。
【発明の詳細な説明】
【技術分野】
【０００１】
本発明は、鳥類が架空電線に衝突することを防止する鳥衝突防止具に関するものである。詳しくは、架空電線に吊り下げられた吊下部材に光を反射する多面体を備え、当該多面体が回転自在に取り付けられることで、風などによって回転された多面体の各面により光を複数方向へ効果的に反射（拡散）できるようにすると共に、複数方向へ反射された光により、鳥類が架空電線に接近することを広範囲にわたって防止できるようにする。
【背景技術】
【０００２】
従来から、鳥類が架空電線に衝突することを防止するために、鳥衝突防止具を使用する場合が多い。例えば、着色リングを架空電線の外周に長手方向に沿って適当な間隔を開けて取り付ける。これにより、架空電線を目立たせることができるので、鳥が架空電線に衝突することを防止できるようになる。
【０００３】
このような従来例に関連して特許文献１には、標識リングが開示されている。この標識リングによれば、送電線を把持する把持体と、当該把持体の下部に揺動自在に吊り下げられた板状の標識体とから構成されている。この構成により、風によって揺れ動かされた標識体により、鳥などに送電線の存在を知らせると共に鳥などが送電線に衝突することを防止できるようになる。
【０００４】
また、特許文献２には鳥害防止具が開示されている。この鳥害防止具によれば、送電線に取り付けられる台座と、台座に取り付けられた突起線と、この突起線に取り付けられたミラー付きボールとを備え、風に揺られたミラー付きボールにより光を反射する。これにより、鳥の恐怖心を煽れるようになる。
【０００５】
【特許文献１】特開平９−２００９３１号公報（第２頁、第１図）
【特許文献２】特開２００２−２０９５０４号公報（第２頁、第７図）
【発明の開示】
【発明が解決しようとする課題】
【０００６】
ところで、従来例に係る特許文献１に記載の標識リングによれば、送電線に取り付けられた板状の標識体が揺れ動くだけなので、太陽光などを複数方向へ効果的に反射することができず、鳥が送電線に接近することを広範囲にわたって防止することは困難である。
【０００７】
また、特許文献２に記載の鳥害防止具によれば、ミラー付きボールが突起線に固定されているので、各ミラーが一定の方向を向く傾向があり、太陽光などを複数方向へ効果的に反射（拡散）することが難しい。
【０００８】
そこで、本発明はこのような従来例に係る課題を解決したものであって、光を複数方向へ効果的に反射（拡散）できるようにすると共に、複数方向へ反射された光により、鳥類が架空電線に接近することを広範囲にわたって防止できるようにした鳥衝突防止具を提供することを目的とする。
【課題を解決するための手段】
【０００９】
上述した課題を解決するために、本発明に係る請求項１に記載の第１の鳥衝突防止具は、鳥類が架空電線に衝突することを防止する鳥衝突防止具であって、前記架空電線を把持する把持部と、前記把持部の所定位置に吊り下げられた吊下部材と、前記吊下部材の所定位置に取り付けられ、光を反射する所定数の多面体と、前記多面体が前記吊下部材から抜け落ちるのを止める抜止部材とを備え、前記多面体は、前記吊下部材に回転自在に取り付けられることを特徴とするものである。
【００１０】
本発明に係る第１の鳥衝突防止具によれば、風などにより回転された多面体の各面により光を複数方向へ効果的に反射（拡散）することができる。
【００１１】
上述した課題を解決するために、本発明に係る請求項４に記載の第２の鳥衝突防止具は、鳥類が架空電線に衝突することを防止する鳥衝突防止具であって、前記架空電線を把持する把持部と、前記把持部の所定位置に吊り下げられた吊下部材と、前記吊下部材の所定位置に取り付けられ、光を反射する所定数の多羽状部材と、前記多羽状部材が前記吊下部材から抜け落ちるのを止める抜止部材とを備え、前記多羽状部材は、前記吊下部材に回転自在に取り付けられることを特徴とするものである。
【００１２】
本発明に係る第２の鳥衝突防止具によれば、風などにより回転された多羽状部材の各羽により光を複数方向へ効果的に反射することができる。
【発明の効果】
【００１３】
本発明に係る第１の鳥衝突防止具によれば、架空電線に吊り下げられた吊下部材に、光を反射する多面体を備え、当該多面体が回転自在に取り付けられるものである。
【００１４】
この構成によって、風などによって回転された多面体の各面により光を複数方向へ効果的に反射（拡散）することができる。従って、複数方向へ反射された光により、鳥類が架空電線に接近することを広範囲にわたって防止できるようになる。
【００１５】
また、本発明に係る第２の鳥衝突防止具によれば、架空電線に吊り下げられた吊下部材に、光を反射する多羽状部材を備え、当該多羽状部材が回転自在に取り付けられるものである。
【００１６】
この構成によって、風などによって回転された多羽状部材の各羽により光を複数方向へ効果的に反射することができる。従って、複数方向へ反射された光により、鳥類が架空電線に接近することを広範囲にわたって防止できるようになる。
【発明を実施するための最良の形態】
【００１７】
続いて、本発明に係る鳥衝突防止具について、図面を参照しながら説明をする。
【実施例１】
【００１８】
図１は、本発明の第１の実施例に係る多面ミラー付きのボール回転標識１００の構成例（その１）を示す正面図である。図１に示すボール回転標識１００は鳥衝突防止具の一例を構成し、把持金具１、芯棒２、ミラー付きのボール３ａ〜３ｃ、ボルト４ａ、４ｂ、ボール用のストッパー５ａ〜５ｃ及び芯棒用ストッパー６を備える。
【００１９】
把持金具１は把持部の一例を構成し、送電線を把持する。この例で、把持金具１の形状はリング形状であり、把持金具１は上把持金具１ａと下把持金具１ｂから構成される。上把持金具１ａ及び下把持金具１ｂは半リング形状である。上把持金具１ａ及び下把持金具１ｂの素材には、アルミ合金やマグネシウム合金などの軽量かつ耐候性に優れたものが使用される。
【００２０】
上把持金具１ａ及び下把持金具１ｂの内周面には、送電線を把持したときに発生する衝撃を和らげるための緩衝部材７が取り付けられている。例えば、この緩衝部材７には、絶縁性及び耐熱性を有したゴムや樹脂などを使用する。上把持金具１ａ及び下把持金具１ｂは、黄色系統の蛍光塗料で着色されている。蛍光着色により、把持金具１が鮮やかな黄色系統に発光するので、鳥類を過敏に反応させることができる。
【００２１】
上把持金具１ａの一方の先端には螺合部８ａが設けられ、他方の先端には螺合部８ｂが設けられている。また、下把持金具１ｂの一方の先端には螺合部８ｃが設けられ、他方の先端には螺合部８ｄが設けられている。半リング形状の上把持金具１ａと下把持金具１ｂは、送電線を挟んだ状態で、螺合部８ａと螺合部８ｃにボルト４ａが螺合され、螺合部８ｂと螺合部８ｄにボルト４ｂが螺合されて結合される。このようにして、上把持金具１ａと下把持金具１ｂは送電線を把持する。
【００２２】
下把持金具１ｂの最下端部には、吊下部材の一例を構成する芯棒２が吊り下げられている。この例で、芯棒２の長手方向に対して垂直に切断した切断面の形状は円形である。この芯棒２の径より若干大きい径の開口部９が下把持金具１ｂに設けられ、この開口部９に芯棒２の一端が挿入され、挿入された芯棒２の一端が芯棒用ストッパー６により抜け止めされている。芯棒２の素材には、ステンレス鋼などの防錆性に優れたものが使用される。
【００２３】
芯棒２の一端から例えば３分の１程度の位置には、多面体の一例を構成するミラー付きのボール３ａが取り付けられ、光を反射するようになされる。この例で、ボール３ａは中空を成す球形状であり、ボール３ａの直径は５〜８ｃｍ程度である。このボール３ａは、芯棒２がボール３ａの中心を通過するように貫通された貫通孔１０ａ及び１０ｂを有する。この貫通孔１０ａ及び１０ｂの形状は芯棒２の径より若干大きい径の円形である。この貫通孔１０ａ及び１０ｂに芯棒２が挿入される。芯棒２の挿入後、ボール３ａは、抜止部材の一例を構成するストッパー５ａにより、芯棒２から抜け落ちるのを抜け止めされる。このように、ボール３ａは芯棒２に回転自在に取り付けられている。
【００２４】
同様にして、ボール３ｂは、ボール３ａの下方に所定の間隔をあけてストッパー５ｂにより抜け止めされて芯棒２に回転自在に取り付けられている。また、ボール３ｃは、ボール３ｂの下方に所定の間隔をあけてストッパー５ｃにより抜け止めされて芯棒２に回転自在に取り付けられている。芯棒２の最下部に位置するボール３ｃは、ボール３ａ及び３ｂのように芯棒２が串刺し状に貫通された状態ではなく、一の孔１０ｃだけに芯棒２が通され、通された芯棒２に取り付けられたストッパー５ｃにより抜け止めされている。このように、ボール３ａ〜３ｃは、把持金具に吊り下げられた芯棒２に回転自在に取り付けられている。
【００２５】
また、多面体のボール３ａ〜３ｃは球面がミラーで覆われており、覆われたミラーのうち、一部のミラーが蛍光塗料で着色されている。例えば、ボール３ａは桃色の蛍光塗料で着色されたミラー３ｄを有し、ボール３ｂは黄色の蛍光塗料で着色されたミラー３ｅを有し、ボール３ｃは橙色の蛍光塗料で着色されたミラー３ｆを有している。桃色の蛍光塗料で着色されたボール３ａのミラー３ｄは桃色の光を反射し、黄色の蛍光塗料で着色されたボール３ｂのミラー３ｅは黄色の光を反射し、橙色の蛍光塗料で着色されたボール３ｃのミラー３ｆは橙色の光を反射する。これらの蛍光に着色されたミラー３ｄ〜３ｆにより、鳥が反応し易い桃、黄、橙色など黄色系統の光を反射することができる。また、ボール３ａ〜３ｃの蛍光塗料を塗る下地に光沢性を持たせることにより、色落ちによる効果の薄れを防止することもできる。
【００２６】
なお、図１に示すように、ボール３ａ〜３ｃのミラー３ｄ〜３ｆに蛍光塗料を着色して、まだら模様にしたがこれに限らず、全てのミラーに着色してもよいし、また、上半球又は下半球のみのミラーに蛍光塗料を着色してもよい。また、３個のボール３ａ〜３ｃを芯棒２に取り付けたが、これに限らず１個のボール３ａのみを芯棒２に取り付けてもよいし、４個以上のボールを芯棒２に取り付けてもよい。
【００２７】
図２Ａ及びＢはボール回転標識１００の構成例（その２）を示す説明図である。図２Ａに示すボール回転標識１００は側面図であり、ナット１１ａが備えられている。このナット１１ａは、上把持金具１ａの螺合部８ａと下把持金具１ｂの螺合部８ｃに挿入されたボルト４ａに螺合されている。
【００２８】
図２Ｂに示すボール回転標識１００は上面図であり、ナット１１ｂが備えられている。このナット１１ｂは、上把持金具１ａの螺合部８ｂと下把持金具１ｂの螺合部８ｄ（図１参照）に挿入されたボルト４ｂに螺合されている。このように、ボルト４ａ、４ｂにナット１１ａ、１１ｂが螺合されて、上把持金具１ａと下把持金具１ｂが結合されている。
【００２９】
図３Ａ及びＢはボール３ａの組み立て例を示す説明図である。図３Ａに示すボール３ａのＸ−Ｘ矢視切断面を図３Ｂに示す。図３Ｂのボール３ａは、右半分ボール３ｇと左半分ボール３ｈから構成される。
【００３０】
先ず、芯棒２に何も取り付けられていない状態で、この芯棒２にストッパー５ａを挿入して、ボール３ａの鉛直方向への移動を制限する位置に、ストッパー５ａを抵抗溶接（スポット溶接）により固定する。
【００３１】
次に、ボール３ａの反鉛直方向への移動を制限する為に、芯棒２に球状の中間部材５ｅを挿入し、続いてボール用の内部ストッパー５ｄを挿入する。挿入後、固定されたストッパー５ａの近傍に内部ストッパー５ｄを抵抗溶接により固定する。
【００３２】
内部ストッパー５ｄを固定後、ボール３ａの右半分ボール３ｇと左半分ボール３ｈの接合面に接着剤を塗布し、芯棒２に取り付けられた内部ストッパー５ｄ及び中間部材５ｅを内包するように接合面を接着して球体のボール３ａを形成する。この場合、ボール３ａに設けられた貫通孔１０ａ及び１０ｂの径は、芯棒２の径より若干大きく設計されている。このようにして、ストッパー５ａ及び内部ストッパー５ｄによりボール３ａの移動を制限すると共に、芯棒２に軸回転自在にボール３ａを組み立てる。また、同様にして、ボール３ａの下方に所定の間隔をあけてボール３ｂを芯棒２に組み立てる。また、ボール３ｂの下方に所定の間隔をあけてボール３ｃを芯棒２に組み立てる。ボール３ｃの場合は、芯棒２の最下端に位置するので、図１に示したストッパー５ｃのみを内包するように、ボール３ｃを芯棒２に取り付ける。
【００３３】
なお、右半分ボール３ｇの内側には湾曲部３ｉが設けられており、この湾曲部３ｉには中間部材５ｅの一部が当接される。また、左半分ボール３ｈの内側には湾曲部３ｊが設けられており、この湾曲部３ｊには中間部材５ｅの一部が当接される。これにより、ボール３ａが回転した場合にボール３ａの内側における摩擦を軽減できる。
【００３４】
図４Ａは、ボール回転標識１００を送電線１２に取り付ける例を示す工程図である。図４Ａに示すボール回転標識１００は図２Ａに示したボール回転標識１００のボルト４ａなどが把持金具１から螺合解除され、把持金具１の上把持金具１ａと下把持金具１ｂの結合が分離された状態である。
【００３５】
この状態で、半リング形状の下把持金具１ｂを矢印方向Ｐから送電線１２に当接し、かつ、下把持金具１ｂが当接された送電線１２に矢印方向Ｑから上把持金具１ａを当接する。このとき、上把持金具１ａの螺合部８ａと下把持金具１ｂの螺合部８ｃの螺子孔を合わせ、同様にして図１に示した反対側の螺合部８ｂと螺合部８ｄの螺子孔を合わせる。
【００３６】
その後、螺合部８ａと螺合部８ｃの螺子孔にボルト４ａを挿入してナット１１ａで螺合し、同様にして反対側の螺合部８ｂと螺合部８ｄの螺子孔にボルト４ｂを挿入してナット１１ｂ（図２Ｂ参照）で螺合して、上把持金具１ａと下把持金具１ｂを結合して送電線１２を把持する。図４Ｂに示すボール回転標識１００は、把持金具１により送電線１２を把持した状態である。このように、上把持金具１ａと下把持金具１ｂにより送電線１２を把持するので、ボール回転標識１００が落下することを確実に防止でき、かつ、耐久性に優れたボール回転標識１００を提供できる。
【００３７】
図５は、ボール回転標識１００を送電線１２ａ及び１２ｃに取り付けた例を示す概略図である。図５に示す送電線１２ａ〜１２ｃは、例えば、渡り鳥等の飛来コースに三相にわたって鉄塔１３ａ及び１３ｂに架設された特別高圧送電線である。送電線１２ａは最上部の第一相に架設され、送電線１２ｂは中間部の第二相に架設され、送電線１２ｃは最下部の第三相に架設されている。鉄塔１３ａと鉄塔１３ｂとの距離は、３００ｍ程度である。
【００３８】
鉄塔１３ａと鉄塔１３ｂの間において、第一相の送電線１２ａには、ボール回転標識１００が１．５ｍ程度間隔をあけて２００個程度取り付けられている。また、第一相の送電線１２ａと同様に、第三相の送電線１２ｃには、鉄塔１３ａと鉄塔１３ｂの間において、ボール回転標識１００が１．５ｍ程度間隔をあけて２００個程度取り付けられている。第二相の送電線１２ｂにはボール回転標識１００が取り付けられていない。これは、第一相及び第三相にボール回転標識１００を取り付ければ、第一相及び第三相に取り付けられたボール回転標識１００の回転されたボール３ａ〜３ｃにより、光を複数方向へ広範囲にわたって反射することができるので、第二相の送電線１２ｂにボール回転標識１００を取り付けなくても、第二相の送電線１２ｂに鳥類が接近することを防止できるからである。このように、ボール回転標識１００を送電線１２ａ及び１２ｃに取り付ける。
【００３９】
図６Ａ及びＢはボール回転標識１００の機能例を示す説明図である。図６Ａに示すボール回転標識１００は、送電線１２ａに取り付けられた状態である。この状態で、ボール回転標識１００の芯棒２は鉛直方向を向き、この芯棒２に回転自在に取付けられたボール３ａ〜３ｃは、芯棒２を回転軸として風などにより矢印方向Ｒに回転する。これにより、風などによって回転されたボール３ａ〜３ｃの黄色系統に着色されたミラー３ｄ〜３ｆにより光を複数方向へ効果的に反射（拡散）することができる。従って、複数方向へ反射された鳥類の嫌がる黄色系統の光により、鳥類が送電線１２ａなどに接近することを広範囲にわたって防止できるようになる。
【００４０】
図６Ｂは、図６Ａに示したボール回転標識１００を正面から見た図である。図６Ｂに示す上把持金具１ａ及び下把持金具１ｂの緩衝部材７により送電線１２ａを把持したときに発生する衝撃を和らげることができる。
【００４１】
このように、本発明の第１の実施例に係るボール回転標識１００によれば、送電線１２ａ及び１２ｃに吊り下げられた芯棒２にボール３ａ〜３ｃを備え、当該ボール３ａ〜３ｃが回転自在に取り付けられ、光を反射するようになされる。
【００４２】
従って、風などによって回転されたボール３ａ〜３ｃのミラー３ｄ〜３ｆにより光を複数方向へ効果的に反射することができる。これにより、複数方向へ反射された光により、鳥類が送電線１２ａ〜１２ｃに接近することを広範囲にわたって防止できるようになる。
【００４３】
なお、ボール３ａ〜３ｃの球面に、風を受けるための風受部を取り付けてもよい。例えば、ボール３ａの球面の所定位置に数枚の板状の風受部を取り付けたり、又はボール３ａの球面の所定位置に数個の凹状の風受部を設ける。これにより、板状又は凹状の風受部が風を受けるので、ボール３ａの回転力が増加する。
【００４４】
続いて、本発明に係る第２の実施例について説明する。上述したボール回転標識１００と同じ構成要素には同一の符号を付し、その詳細な説明は省略する。
【実施例２】
【００４５】
図７は、本発明の第２の実施例に係る多羽回転標識２００の構成例を示す正面図である。図７に示す多羽回転標識２００は、把持金具１、芯棒２、ボルト４ａ、４ｂ、芯棒用ストッパー６、多羽状部材１４ａ、１４ｂ及びストッパー１６ａ〜１６ｄを備える。
【００４６】
芯棒２の一端から例えば３分の１程度の位置に多羽状部材１４ａが取り付けられ、光を反射するようになされる。多羽状部材１４ａは８枚の羽１５及び羽固定部材１７を備える。８枚の羽１５は若干湾曲しており、光沢面１５ａを有している。羽１５の素材は樹脂や金属などである。
【００４７】
８枚の羽１５は、羽固定部材１７により裾広がり状に固定されている。例えば、羽固定部材１７は土台１７ａ及び凸状フタ１７ｂから構成されている。土台１７ａの凹部に８枚の羽１５の各一端が配置され、配置された状態で土台１７ａの凹部に凸状フタ１７ｂが圧入される。これにより、８枚の羽１５が羽固定部材１７により裾広がり状に固定されて多羽状部材１４ａが形成される。
【００４８】
多羽状部材１４ａの羽固定部材１７は、芯棒２が羽固定部材１７の中心を通過するように貫通された貫通孔を有する。この貫通孔の形状は芯棒２の径より若干大きい径の円形である。この貫通孔に芯棒２が挿入される。芯棒２には、多羽状部材１４ａが反鉛直方向への移動することを制限するために、ストッパー１６ａが芯棒２の所定位置に備えられている。また、芯棒２から多羽状部材１４ａが鉛直方向へ抜け落ちるのを止めるためのストッパー１６ｂが芯棒２の所定位置に取り付けられ、このストッパー１６ｂにより、多羽状部材１４ａが抜け止めされている。このように、多羽状部材１４ａは、羽固定部材１７がストッパー１６ａとストッパー１６ｂとの間に位置した状態で、芯棒２に回転自在に取り付けられている。
【００４９】
同様にして、多羽状部材１４ｂは、多羽状部材１４ａの下方に所定の間隔をあけて芯棒２に回転自在に取り付けられている。例えば、多羽状部材１４ｂは、ストッパー１６ｄにより鉛直方向へ抜け落ちるのを止めされ、ストッパー１６ｃにより当該多羽状部材１４ｂが反鉛直方向への移動することを制限されている。このように、多羽状部材１４ａ、１４ｂは、把持金具１に吊り下げられた芯棒２に回転自在に取り付けられている。
【００５０】
この例で、多羽状部材１４ａ及び１４ｂの各々の羽１５の光沢面１５ａを蛍光塗料で着色してもよい。例えば、多羽状部材１４ａの各々の羽１５の光沢面１５ａを黄色の蛍光塗料で着色し、多羽状部材１４ｂの各々の羽１５の光沢面１５ａを橙色の蛍光塗料で着色する。黄色の蛍光塗料で着色された多羽状部材１４ａは黄色の光を反射し、橙色の蛍光塗料で着色された多羽状部材１４ｂは橙色の光を反射する。
【００５１】
また、多羽状部材１４ａ及び１４ｂを備えた多羽回転標識２００を図５に示した送電線１２ａ〜１２ｃに取り付ける場合は、ボール回転標識１００と同様に送電線１２ａ及び１２ｃの各々に１．５ｍ程度間隔をあけて取り付ける。
【００５２】
このように、本発明の第２の実施例に係る多羽回転標識２００によれば、送電線１２ａ及び１２ｃに吊り下げられた芯棒２に多羽状部材１４ａ、１４ｂを備え、当該多羽状部材１４ａ、１４ｂが回転自在に取り付けられ、光を反射するようになされる。
【００５３】
従って、風などによって回転された多羽状部材１４ａ、１４ｂの各々の羽１５の光沢面１５ａにより光を複数方向へ効果的に反射（拡散）することができる。従って、複数方向へ反射された光により、鳥類が送電線１２ａ〜１２ｃに接近することを広範囲にわたって防止できるようになる。
【００５４】
なお、２個の多羽状部材１４ａ、１４ｂを芯棒２に取り付けたが、これに限らず１個の多羽状部材１４ａのみを芯棒２に取り付けてもよいし、３個以上の多羽状部材を芯棒２に取り付けてもよい。また、送電線の上下運動を回転運動に変えて送電線の振動の発生を防止するトーショナルダンパーに本発明を適用することも考えられる。
【産業上の利用可能性】
【００５５】
本発明は、鳥類が架空電線に衝突することを防止する鳥衝突防止具に適用して好適なものである。
【図面の簡単な説明】
【００５６】
【図１】本発明の第１の実施例に係るミラー付きボールのボール回転標識１００の構成例（その１）を示す正面図である。
【図２】Ａ及びＢはボール回転標識１００の構成例（その２）を示す説明図である。
【図３】Ａ及びＢはボール３ａの組み立て例を示す説明図である。
【図４】Ａ及びＢは、ボール回転標識１００を送電線１２に取り付ける例を示す工程図である。
【図５】ボール回転標識１００を送電線１２ａ及び１２ｃに取り付けた例を示す概略図である。
【図６】Ａ及びＢはボール回転標識１００の機能例を示す説明図である。
【図７】本発明の第２の実施例に係る多羽回転標識２００の構成例を示す正面図である。
【符号の説明】
【００５７】
１  把持金具（把持部）
２  芯棒（吊下部材）
３ａ〜３ｃ  ミラー付きのボール（多面体）
５ａ〜５ｃ  ボール用のストッパー（抜止部材）
１４ａ、１４ｂ  多羽状部材
１５  羽
１６ａ〜１６ｄ  ストッパー
１７  羽固定部材
１００  多面ミラー付きのボール回転標識（鳥衝突防止具）
２００  多羽回転標識（鳥衝突防止具）
【図５】
2008271676.tif 000003
【図７】
2008271676.tif 000004
【図１】
2008271676.tif 000005
【図２】
2008271676.tif 000006
【図３】
2008271676.tif 000007
【図４】
2008271676.tif 000008
【図６】
2008271676.tif 000009